(57)【要約】【課題】情報セキュリティを確保しつつ、正当な送信先に対するデータ送信を容易に行うこと。【解決手段】  情報の表示面に対する指示位置を検出する筆記検出部と、筆記検出部で検出された指示位置に基づき、該指示位置の軌跡の画像を表示面に出力して表示させる出力部と、外部装置を検知するための装置検出部と、装置検出部により外部装置を検出するための該外部装置の設置位置を通知する検出位置特定部と、検出位置特定部で設置位置を通知した装置検出部により検出された外部装置に対して、出力部で出力された画像に基づく電子データを転送する画像転送部と、を備える電子黒板装置による。【選択図】図１
2020184383.tif 000002
【特許請求の範囲】
【請求項１】
情報の表示面に対する指示位置を検出する筆記検出部と、
前記筆記検出部で検出された指示位置に基づき、該指示位置の軌跡の画像を前記表示面に出力して表示させる出力部と、
外部装置を検知するための装置検出部と、
前記装置検出部により前記外部装置を検出するための該外部装置の設置位置を通知する検出位置特定部と、
検出位置特定部で設置位置を通知した前記装置検出部により検出された外部装置に対して、前記出力部で出力された画像に基づく電子データを転送する画像転送部と、
を備えることを特徴とする電子黒板装置。
【請求項２】
複数の前記装置検出部を有し、
前記検出位置特定部は、前記出力部で表示された画像の表示面上の位置に応じて、前記複数の装置検出部のうち前記外部装置を検知するための装置検出部を特定し、特定した該装置検出部により前記外部装置を検出するための該外部装置の設置位置を通知する
ことを特徴とする請求項１に記載の電子黒板装置。
【請求項３】
複数の前記装置検出部を有し、
前記検出位置特定部は、前記出力部で表示された画像の表示面上の位置の近傍に位置する装置検出部を特定し、特定した該装置検出部により前記外部装置を検出するための該外部装置の設置位置を通知する
ことを特徴とする請求項１に記載の電子黒板装置。
【請求項４】
複数の前記装置検出部を有し、
前記検出位置特定部は、前記出力部で表示された画像の表示面上の位置の以外に位置する装置検出部を特定し、特定した該装置検出部により前記外部装置を検出するための該外部装置の設置位置を通知する
ことを特徴とする請求項１に記載の電子黒板装置。
【請求項５】
複数の前記装置検出部を有し、
前記検出位置特定部は、前記筆記検出部が検出した最新の指示位置の近傍に位置する装置検出部を特定し、特定した該装置検出部により前記外部装置を検出するための該外部装置の設置位置を通知する
ことを特徴とする請求項１に記載の電子黒板装置。
【請求項６】
前記検出位置特定部は、前記装置検出部により前記外部装置を検出するための該外部装置の設置位置を示す画像を、前記出力部により前記表示面に出力して表示させることで通知する
ことを特徴とする請求項１に記載の電子黒板装置。
【請求項７】
前記装置検出部は、前記外部装置が設置されたことを該外部装置の設置圧により検知する感圧センサであることを特徴とする請求項１乃至６のいずれか一項に記載の電子黒板装置。
【請求項８】
前記画像転送部は、無線方式により前記画像を転送することを特徴とする請求項１乃至７のいずれか一項に記載の電子黒板装置。
【請求項９】
電子黒板装置と、外部装置と、を含むデータ送信システムであって、
前記電子黒板装置は、
情報の表示面に対する指示位置を検出する筆記検出部と、
前記筆記検出部で検出された指示位置に基づき、該指示位置の軌跡の画像を前記表示面に出力して表示させる出力部と、
前記外部装置を検知するための装置検出部と、
前記装置検出部により前記外部装置を検出するための該外部装置の設置位置を通知する検出位置特定部と、
検出位置特定部で設置位置を通知した前記装置検出部により検出された外部装置に対して、前記出力部で出力された画像に基づく電子データを転送する画像転送部と、
を備え、
前記外部装置は、
前記電子データを受信する画像受信部と、
前記電子データの受信結果を出力する結果出力部と、
を備える、
ことを特徴とするデータ送信システム。
【請求項１０】
表示面と、外部装置を検知するための装置検出部を備える電子黒板装置において動作し、
前記電子黒板装置の表示面に対する指示位置を検出する筆記検出手段、
検出された前記指示位置に基づき、該指示位置の軌跡の画像を前記表示面に出力して表示させる出力手段、
前記装置検出部により前記外部装置を検出するための該外部装置の設置位置を通知する検出位置特定手段、
設置位置を通知した前記検出位置特定手段により検出された外部装置に対して、前記出力手段において出力された画像に基づく電子データを転送する画像転送手段、
を前記電子黒板装置において実行する電子黒板プログラム。
【発明の詳細な説明】
【技術分野】
【０００１】
本発明は、電子黒板装置、電子黒板システム及び電子黒板プログラムに関する。
【背景技術】
【０００２】
板面に描いた文字や図形をデジタルデータに変換して保存できる電子黒板装置が知られている。このような電子黒板装置において、通信機能を備え、他の情報処理装置にデータを送信して保存するものもある。このようにデータを保存先に送信する場合は、電子黒板装置において予めデータ保存先に関する接続に関する情報を設定する必要がある。
【０００３】
無線回線を用いて他の情報処理装置にデータを送信するには、電子黒板装置が意図しない不正な送信先にデータを送信することを防ぐため、予め送信先の情報処理装置を電子黒板が認証する認証処理を実行する必要がある。このようなケースで使用される認証処理は、一般的に、接続用ＩＤとパスワードとの組み合わせを接続に関する情報の一部として電子黒板装置側に保持しておき、情報処理装置側において、これら情報の正しい組み合わせを入力させる方式が知られている。
【０００４】
電子黒板装置に保持する認証情報を固定しておき、一旦接続した情報処理装置が次回の接続時には認証操作を省略できるようにすると、一旦設定した認証情報を何度も使い回す状態になり、情報セキュリティの観点からは望ましくない。セキュリティ確保の観点からは、電子黒板装置からデータ送信を行うときに実行する認証処理で用いる認証情報は、その場限りにする方が望ましい。このような観点から、電子黒板装置における認証技術として、接続認証に用いるパスワードをデータ送信先の情報処理装置からの要求に基づいて電子黒板に表示させて、この表示されたパスワードによりデータ送信先を認証する技術が開示されている（例えば、特許文献１を参照）。
【発明の概要】
【発明が解決しようとする課題】
【０００５】
特許文献１に開示されている技術を用いる場合、電子黒板装置に対するパスワードの要求操作と、データ送信先の情報処理装置における当該パスワード入力操作を、その都度行う必要がある。このように、データを保存する都度においてパスワード要求操作と入力操作を必要とすることは、ユーザビリティの観点からは好ましくない。一方、上記のように、一旦接続した情報処理装置へのデータ送信では、その後の認証処理を省略すると情報セキュリティの観点から好ましくない。
【０００６】
本発明は、情報セキュリティを確保しつつ、正当な送信先に対するデータ送信を容易に行うことができる電子黒板装置を提供することを目的とする。
【課題を解決するための手段】
【０００７】
上記課題を解決するために、本発明の一態様は、情報の表示面に対する指示位置を検出する筆記検出部と、前記筆記検出部で検出された指示位置に基づき、該指示位置の軌跡の画像を前記表示面に出力して表示させる出力部と、外部装置を検知するための装置検出部と、前記装置検出部により前記外部装置を検出するための該外部装置の設置位置を通知する検出位置特定部と、検出位置特定部で設置位置を通知した前記装置検出部により検出された外部装置に対して、前記出力部で出力された画像に基づく電子データを転送する画像転送部と、を備えることを特徴とする。
【発明の効果】
【０００８】
本発明によれば、情報セキュリティを確保しつつ、正当な送信先に対するデータ送信を容易に行うことができる。
【図面の簡単な説明】
【０００９】
【図１】本発明の実施形態に係る電子黒板システムの全体構成を示す説明図である。
【図２】本実施形態に係る電子黒板装置が備える端末設置部の構成を示す図である。
【図３】本実施形態に係る電子黒板装置のハードウェア構成を示すブロック図である。
【図４】本実施形態に係る携帯端末のハードウェア構成を示すブロック図である。
【図５】本実施形態に係る電子黒板装置の機能構成を示すブロック図である。
【図６】本実施形態に係る携帯端末の機能構成を示すブロック図である。
【図７】本発明の実施形態に係る電子黒板プログラムにおける処理の流れを示すフローチャートである。
【図８】本実施形態に係る電子黒板における画像表示の例である。
【図９】本実施形態に係る電子黒板における画像表示の別の例である。
【図１０】本実施形態に係る電子黒板における画像表示のさらに別の例である。
【図１１】本実施形態に係る電子黒板における画像表示のさらに別の例である。
【図１２】本実施形態に係る電子黒板における画像表示のさらに別の例である。
【図１３】本実施形態に係る電子黒板における画像表示のさらに別の例である。
【発明を実施するための形態】
【００１０】
＜本実施形態の要旨＞
本発明に係る電子黒板装置は、その実施形態において、ＩＤやパスワード等を含む認証情報を事前に登録したり、データ送信時に都度入力したりすることなく、所定の条件に合致する位置に置かれた情報処理装置にのみデータを転送する、ことを要旨の一つとする。以下において説明する電子黒板装置は、この電子黒板装置からのデータを受け取る情報処理装置との間でパスワード認証のような認証操作を行うことなく、容易かつ安全にデータ転送を実行できる。
【００１１】
電子黒板装置は、企業において会議等で利用されることが多く、板面に描かれた文字や図形の外部への漏洩は防ぐ情報セキュリティ機能は必須である。その上で、会議の効率化を図る観点からも、電子黒板装置にて描かれた情報の保存に係る操作は容易に行えるような、ユーザビリティの向上も求められる。従来の技術では、電子黒板装置における情報セキュリティ向上と、これに相反するユーザビリティ向上の両方を図ることは困難であるが、本実施形態に係る電子黒板装置によれば、情報セキュリティの確保とユーザビリティの向上を両立させることができる。
【００１２】
＜電子黒板システム３００の実施形態＞
以下、図面を参照して、本発明の実施形態について説明する。図１に示すように、本実施形態に係る電子黒板システム３００は、電子黒板１００と、携帯端末２００と、を組み合わせて構成される。電子黒板１００は、専用の又は汎用の筆記具を用いて描かれた文字や図形の軌跡を視覚情報として表示する表示面である電子黒板面を備える電子黒板装置の実施形態である。また、携帯端末２００は、電子黒板１００において描かれた軌跡から視覚情報を生成した画像データを「筆記画像」として保存する外部装置の実施形態である。
【００１３】
［電子黒板１００の構成］
電子黒板１００は、全体の動作を制御する制御装置１１０と、情報の表示面である電子黒板面であって、筆記具がなぞった指示位置の軌跡から視覚情報である文字や絵を表示するタッチディスプレイ１２０と、描かれた文字や図形に基づく筆記画像の転送先となる携帯端末２００を設置する複数の端末設置装置１３０と、を備える。
【００１４】
本発明の実施形態に係る電子黒板１００は、筆記具による指示位置の軌跡から生成された視覚情報であって携帯端末２００に転送される所定の形式によってデータ化された「筆記画像」を生成する。電子黒板１００は、表示面に対する所定のデータ送信操作に応じて筆記画像を生成する。また、電子黒板１００は、所定のデータ送信操作に基づいて、当該筆記画像の転送先となる携帯端末２００の当該電子黒板１００に対する設置位置を特定し、この特定された位置を識別可能な視覚情報をタッチディスプレイ１２０に表示する。電子黒板１００は、この視覚情報において示された位置に相当する設置情報に対応する端末設置装置１３０において、携帯端末２００の設置を検知したときに、当該携帯端末２００に対して筆記画像を転送する。
【００１５】
即ち、電子黒板１００は、筆記画像を携帯端末２００に送信するための送信操作に応じて、タッチディスプレイ１２０に対して携帯端末２００の設置位置を指示する設置情報を表示する。その後、設置情報に対応する端末設置装置１３０に設置された携帯端末２００のみに、筆記画像の送信を行う。このような動作を実行することにより、電子黒板１００は、携帯端末２００にデータを送信する前段における認証処理を行うことなく、また、認証処理に必要となる利用者による情報入力操作（パスワード入力など）を行わずとも、データの転送先となる携帯端末２００を限定することができる。
【００１６】
［携帯端末２００の概要］
携帯端末２００は、例えば、情報処理機能を備えた端末であって、端末設置装置１３０に対して、複数個を同時に設置できる程度の大きさを備えている。
【００１７】
［端末設置装置１３０の概要］
図２は、端末設置装置１３０の概略的な構成を示す図である。図２に示すように、端末設置装置１３０は、電子黒板１００において複数備えられている。端末設置装置１３０は、携帯端末２００を設置することができる部位を備えていて、当該部位において、携帯端末２００の設置を検出するための設置センサ１３１と、設置された携帯端末２００と電子黒板１００との無線通信を行うための通信アンテナ１３２と、を一組とする。一つの端末設置装置１３０は、少なくとも一つの設置センサ１３１と一つの通信アンテナ１３２の対を備える。
【００１８】
設置センサ１３１は、後述する「端末設置位置表示」に対応する位置に携帯端末２００が存在するか否かを検知するセンサである。設置センサ１３１は、携帯端末２００が当該位置に設置されたことを、携帯端末２００の設置圧から検知する感圧センサや、当該位置に携帯端末２００が置かれたことを画像認識に基づいて検知するカメラでもよい。
【００１９】
通信アンテナ１３２は、端末設置位置表示に対応する位置に置かれた携帯端末２００のみと無線接続する通信手段である。通信アンテナ１３２における電波の指向性は、上記の位置に置かれた携帯端末２００にのみ、電波が届くように出力レベルとともに調整されている。なお、通信アンテナ１３２から放出された電波を携帯端末２００が正常に受信したことを検知することで、設置センサ１３１の代わりに当該通信アンテナ１３２のみを用いるようにしてもよい。
【００２０】
設置センサ１３１と通信アンテナ１３２は、１対１の関係になっている。したがって、一つの設置センサ１３１による電波を受信できる位置に設置された携帯端末２００に対する無線接続は、当該設置センサ１３１に対応する通信アンテナ１３２のみと確立するように構成されている。
【００２１】
言い換えると、一の設置センサ１３１において検出された携帯端末２００に対する無線接続は、当該一の設置センサ１３１と異なる他の設置センサ１３１に対応する他の通信アンテナ１３２からは行われないように調整されている。即ち、通信アンテナ１３２における電波到達範囲は、対応する設置センサ１３１の上方にのみ限られるように調整されている。
【００２２】
［電子黒板１００のハードウェア構成］
次に、本実施形態に係る電子黒板１００のハードウェア構成について説明する。当該電子黒板１００の動作は、制御装置１１０により制御される。したがって、本発明に係る電子黒板装置の実施形態を詳細に説明するにあたり、制御装置１１０のハードウェア構成について詳細に説明する。図３に示すように、本実施形態に係る制御装置１１０は、ＣＰＵ（Ｃｅｎｔｒａｌ  Ｐｒｏｃｅｓｓｉｎｇ  Ｕｎｉｔ）１１１、ＲＯＭ（Ｒｅａｄ  Ｏｎｌｙ  Ｍｅｍｏｒｙ）１１２、ＲＡＭ（Ｒａｎｄｏｍ  Ａｃｃｅｓｓ  Ｍｅｍｏｒｙ）１１３、筆記検出Ｉ／Ｆ（ＩｎｔｅｒＦａｃｅ）１１４、画像出力Ｉ／Ｆ１１５、オーディオスピーカ１１６、設置センサＩ／Ｆ１１７、無線モジュール１１８及びアンテナ切替スイッチ１１９が、内部バス１５０を介して接続されている。
【００２３】
また、筆記検出Ｉ／Ｆ１１４及び画像出力Ｉ／Ｆ１１５には、情報の表示面を含む筆記感知ディスプレイであるタッチディスプレイ１２０が接続されている。設置センサ１／Ｆ１１７には、複数の設置センサ１３１がそれぞれ接続されている。アンテナ切替スイッチ１１９には、複数の通信アンテナ１３２が接続されている。
【００２４】
ＣＰＵ１１１は演算手段であり、電子黒板１００全体の動作を制御するための演算処理を実行する。ＲＯＭ１１２は、読み出し専用の不揮発性記憶媒体であり、電子黒板１００の動作制御に用いられるファームウェアや、後述する電子黒板プログラム等のコンピュータによって処理可能なプログラムコードが格納されている。ＲＡＭ１１３は、データの高速な読み書きが可能な揮発性の記憶媒体であり、ＣＰＵ１１１がＲＯＭ１１２に格納されているプログラムに基づいて実行するデータ処理において、作業領域として用いられる。
【００２５】
筆記検出Ｉ／Ｆ１１４は、タッチディスプレイ１２０の表示面に対する筆記具による指示位置を検出してＣＰＵ１１１に転送する。画像出力Ｉ／Ｆ１１５は、筆記検出Ｉ／Ｆ１１４において検出された指示位置の軌跡からＣＰＵ１１１において生成される視覚情報をタッチディスプレイ１２０に出力する。
【００２６】
オーディオスピーカ１１６は、電子黒板１００を使用中の利用者に対して操作を促す操作音や、不正な操作に対する警報音などを出力する音出力手段である。
【００２７】
設置センサＩ／Ｆ１１７は、装置検出部を構成する設置センサ１３１が検知した携帯端末２００の設置状況を示す設置信号を検出してＣＰＵ１１１に転送する。
【００２８】
無線モジュール１１８は、通信アンテナ１３２を介して携帯端末２００との無線通信回線を確立して、筆記画像を携帯端末２００に送信するための送信処理を行う。
【００２９】
アンテナ切替スイッチ１１９は、検出位置特定部を構成し、無線モジュール１１８と、複数の通信アンテナ１３２との接続状態を切り替える通信先切替手段である。アンテナ切替スイッチ１１９における切替動作は、ＣＰＵ１１１の動作制御による。アンテナ切替スイッチ１１９によって、所定の位置に設置される携帯端末２００との無線回線を確立するための特定な通信アンテナ１３２を動作させることができる。
【００３０】
本実施形態に係る電子黒板１００の制御装置１１０は、上記において説明したハードウェア構成において、ＲＯＭ１１２に格納されたプログラムに従ってＣＰＵ１１１が演算を行うことにより、ソフトウェア制御部１０が構成される。このようにして構成されるソフトウェア制御部１０と、ハードウェア資源との組み合わせによって、本実施形態に係る電子黒板１００が備える制御装置１１０の機能を実現する機能ブロックが構成される。
【００３１】
［携帯端末２００のハードウェア構成］
次に、携帯端末２００のハードウェア構成について、図４を用いて説明する。図４に示すように、携帯端末２００は、情報処理装置の一種であって、通信機能を備える一般的なＰＣ（Ｐｅｒｓｏｎａｌ  Ｃｏｍｐｕｔｅｒ）等と同様の構成を含み、携帯可能な筐体にハードウェア資源を備える。即ち、本実施形態に係る携帯端末２００は、ＣＰＵ２０１、ＲＯＭ２０２、ＲＡＭ２０３、フラッシュメモリ２０４及びＩ／Ｆ２０５が、内部バス２０９を介して接続されている。また、Ｉ／Ｆ２０５には、無線モジュール２０７を介してアンテナ２０８と表示操作部２０６が接続されている。
【００３２】
ＣＰＵ２０１は演算手段であり、携帯端末２００全体の動作を制御する。ＲＡＭ２０３は、データの高速な読み書きが可能な揮発性の記憶媒体であり、ＣＰＵ２０１がデータの処理をする際の作業領域として用いられる。ＲＯＭ２０２は、読み出し専用の不揮発性記憶媒体であり、ファームウェア等のプログラムが格納されている。フラッシュメモリ２０４は、データの読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００３３】
Ｉ／Ｆ２０５は、内部バス２０９と表示操作部２０６及び無線モジュール２０７を接続する。表示操作部２０６は、ユーザが携帯端末２００を操作するためのタッチインターフェースであり、またユーザの操作に応じて種々の情報処理を行った結果を表示するための視覚的ユーザインタフェースである。無線モジュール２０７は、電子黒板１００とのデータ送受信を、無線回線を介して行うためのデータ通信手段である。無線モジュール２０７に接続するアンテナ２０８から電波を放射して、電子黒板１００が備える通信アンテナ１３２との通信接続を確立する。
【００３４】
以上説明した携帯端末２００のハードウェア構成において、ＲＯＭ２０２に格納されたプログラムや、フラッシュメモリ２０４にロードされたプログラムに従ってＣＰＵ２０１が演算を行うことにより、ソフトウェア制御部２０が構成される。このようにして構成されたソフトウェア制御部２０と、ハードウェア資源との組み合わせによって、本実施形態に係る携帯端末２００の機能を実現する機能ブロックが構成される。
【００３５】
［電子黒板１００の機能構成］
次に、本実施形態に係る電子黒板１００の機能構成について、図５を用いて説明する。図５に示すように、電子黒板１００のソフトウェア制御部１０は、筆記検出部１１と、画像出力部１２と、検出位置特定部１３と、装置検出部１４と、転送用画像生成部１５と、画像転送部１６と、転送結果判定部１７と、を含む。
【００３６】
筆記検出部１１は、タッチディスプレイ１２０が備える表示面に筆記具を用いてユーザが描いた文字や図形などを表す指示位置に基づく軌跡から生成された視覚情報を文字や図形としてタッチディスプレイ１２０に対して、筆記画像として出力する。また、筆記検出部１１は、画像データを保存する操作など、電子黒板１００に対する特定の処理を指示するための操作を検出する。筆記検出部１１は、ＣＰＵ１１１と、筆記検出Ｉ／Ｆ１１４と、画像出力Ｉ／Ｆ１１５と、ＲＯＭ１１２に格納されている電子黒板制御プログラムの処理によって実現される。
【００３７】
ここで、筆記信号とは、筆記具や指でタッチディスプレイ１２０をなぞった軌跡情報と位置情報を示す信号である。筆記信号に基づいて生成される画像データを表示画像１２１という。即ち、筆記検出部１１は、筆記信号に基づいて画像データを生成して画像出力部１２に通知する。
【００３８】
画像出力部１２は、筆記検出部１１が生成した表示画像をタッチディスプレイ１２０に出力する。また、画像出力部１２は、携帯端末２００への表示画像１２１の転送処理を実行するときに、後述する検出位置特定部１３によって特定された端末設置装置１３０の特定の位置を示す転送先表示をタッチディスプレイ１２０に出力する。画像出力部１２は、ＣＰＵ１１１と、筆記検出Ｉ／Ｆ１１４と、画像出力Ｉ／Ｆ１１５と、ＲＯＭ１１２に格納されている電子黒板制御プログラムの処理によって実現される。
【００３９】
検出位置特定部１３は、筆記検出部１１において検出された特定の操作であって、筆記画像転送命令を示す操作である保存操作に基づいて、携帯端末２００を設置させるための端末設置装置１３０における物理的な位置を特定する。検出位置特定部１３は、特定した端末設置装置１３０の位置を画像出力部１２に通知する。また、検出位置特定部１３は、特定した端末設置装置１３０に対応する通信アンテナ１３２を動作させるように、アンテナ切替スイッチ１１９に対する切替命令を通知する。筆記検出部１１は、ＣＰＵ１１１と、設置センサ１／Ｆ１１７と、無線モジュール１１８と、アンテナ切替スイッチ１１９と、通信アンテナ１３２と、ＲＯＭ１１２に格納されている電子黒板制御プログラムの処理によって実現される。
【００４０】
検出位置特定部１３における携帯端末２００の設置位置の特定は、保存操作が行われる直前において筆記具の指示位置が検出された表示面との距離に応じて行ってもよい。例えば、保存操作が行われる直前における指示位置と最も近い位置にある端末設置装置１３０を特定した端末設置装置１３０にしてもよい。これによって、利用者が筆記画像の保存操作を行う直前にいる位置に近い端末設置装置１３０を特定して用いることができる。
【００４１】
また、保存操作が行われる以前における筆記具の指示位置の検出数が多い表示面における領域との距離に応じて行ってもよい。例えば、保存操作の操作が行われる以前において検出された指示位置の量が最も多い表示面の領域との距離が最も遠い位置にある端末設置装置１３０を特定した端末設置装置１３０にしてもよい。これによって、表示面に表示されている視覚情報と、後述する設置位置表示１２２との重なりが少なく表示され、利用者にとって、特定された端末設置装置１３０を視認しやすくすることができる。
【００４２】
装置検出部１４は、検出位置特定部１３において特定された位置に対応する設置センサ１３１が携帯端末２００を検出するか否かを監視する。装置検出部１４は、携帯端末２００を検出したときは、その旨を示す信号を転送用画像生成部１５及び画像転送部１６に対して通知する。装置検出部１４は、ＣＰＵ１１１と、設置センサＩ／Ｆ１１７と、設置センサ１３１と、ＲＯＭ１１２に格納されている電子黒板制御プログラムの処理によって実現される。
【００４３】
転送用画像生成部１５は、筆記検出部１１が検出した「保存操作」に応じて、画像出力部１２から表示画像１２１に係るデータを受け取り、装置検出部１４において携帯端末２００が検知された後に、転送対象データである筆記画像を生成する。ここで、装置検出部１４からの通知を待たずに、筆記検出部１１における保存操作の検出のみをトリガーについて筆記画像を生成し、生成した筆記画像を一旦、ＲＡＭ２０３に保存してもよい。転送用画像生成部１５は、ＣＰＵ１１１と、筆記検出Ｉ／Ｆ１１４と、タッチディスプレイ１２０と、設置センサＩ／Ｆ１１７と、設置センサ１３１と、ＲＯＭ１１２に格納されている電子黒板制御プログラムの処理によって実現される。
【００４４】
画像転送部１６は、転送用画像生成部１５において生成された筆記画像と、装置検出部１４において検出された携帯端末２００に対して転送する。画像転送部１６は、携帯端末２００に対する筆記画像の転送において、特定の認証処理は実行しない。画像転送部１６は、装置検出部１４において特定されている設置位置に対応する通信アンテナ１３２のみを介して筆記画像の転送を行う。
【００４５】
画像転送部１６は、ＣＰＵ１１１と、無線モジュール１１８と、アンテナ切替スイッチ１１９と、通信アンテナ１３２と、ＲＯＭ１１２に格納されている電子黒板制御プログラムの処理によって実現される。
【００４６】
転送結果判定部１７は、画像転送部１６における筆記画像の転送が正常に行われたことを監視する。転送結果判定部１７は、画像転送部１６における転送処理が開始されてから終了するまでの処理時間を監視して、転送処理がタイムアウトにならないこと、及び、転送処理が途中で終了しないことを監視し、その結果を画像出力部１２に表示させる。転送結果判定部１７は、ＣＰＵ１１１と、無線モジュール１１８と、画像出力Ｉ／Ｆ１１５と、タッチディスプレイ１２０と、ＲＯＭ１１２に格納されている電子黒板制御プログラムの処理によって実現される。
【００４７】
［携帯端末２００の機能構成］
次に、携帯端末２００の機能構成について、図６を用いて説明する。図６に示すように、携帯端末２００のソフトウェア制御部２０は、画像受信部２１と、受信結果返信部２２と、画像保存部２３と、を含む。
【００４８】
画像受信部２１は、電子黒板１００が備える画像転送部１６から送られてきた筆記画像を受信する。画像受信部２１は、受信した筆記画像を、画像保存部２３を介して保存する。画像受信部２１は、筆記画像の受信結果について受信結果返信部２２に通知する。画像受信部２１は、ＣＰＵ２０１と、無線モジュール２０７と、アンテナ２０８と、ＲＯＭ２０２に格納されている制御プログラムの処理によって実現される。
【００４９】
受信結果返信部２２は、画像受信部２１における筆記画像の受信が正常に行われた旨を示す通知を受けて、電子黒板１００に対して、転送完了を示す通知を返信する。受信結果返信部２２は、ＣＰＵ２０１と、無線モジュール２０７と、アンテナ２０８と、ＲＯＭ２０２に格納されている制御プログラムの処理によって実現される。
【００５０】
画像保存部２３は、画像受信部２１が受信した筆記画像を、フラッシュメモリ２０４に格納する。画像保存部２３は、ＣＰＵ２０１と、フラッシュメモリ２０４と、ＲＯＭ２０２に格納されている制御プログラムの処理によって実現される。
【００５１】
［電子黒板装置における処理の概要］
次に、本発明に係る電子黒板装置において動作する電子黒板制御プログラムによる処理の流れについて説明する。まず、処理の前提となるデータ転送操作について説明する。
【００５２】
≪データ転送操作の例≫
図８は、電子黒板１００を利用している状態を例示する図である。図８に示すように、電子黒板１００の表示面を構成するタッチディスプレイ１２０に軌跡を描くと、視覚情報である文字や図形が表示画像１２１としてタッチディスプレイ１２０に表示される。また、タッチディスプレイ１２０には、表示画像１２１を筆記画像として保存するための「保存操作」を指示する操作ボタン１２４がタッチディスプレイ１２０の一部の表示領域に表示される。操作ボタン１２４に対して特定の操作する（例えば、筆記具でタップする）と、携帯端末２００の設置位置を明示する設置位置表示１２２が表示される。
【００５３】
設置位置表示１２２は、図８に示すように、設置センサ１３１が設置されている数に対応する数だけ表示され、設置位置表示１２２の枠の中に、設置位置を明示するメッセージ１２３を表示してもよい。この場合、電子黒板１００の近くにいる利用者は、表示画像１２１に係るデータを転送したければ、設置位置表示１２２において案内される位置に携帯端末２００を設置すればよい。即ち、容易にデータ転送を行うことができる。
【００５４】
操作ボタン１２４の表示位置は、図８の例に限るものではない。予め設定した位置に表示してもよい。例えば、表示画像１２１が表示されていない領域に操作ボタン１２４を表示してもよい。
【００５５】
また、図１１に示すように、表示画像１２１が表示されている近傍の領域において、操作ボタン１２４を表示し、操作ボタン１２４が表示された近傍に相当する設置位置に対して、設置位置表示１２２を表示してもよい。この場合、設置位置表示１２２が表示されたところに携帯端末２００を設置すれば電子黒板１００から携帯端末２００へのデータ転送が行われる。この場合、電子黒板１００の近くにいても、限られた位置にいる利用者のみが、表示画像１２１に係るデータを容易に取得することができる。即ち、情報セキュリティを確保しながらも、容易にデータ転送を行うことができる。
【００５６】
また、図１２に示すように、操作ボタン１２４を表示するのではなく、タッチディスプレイ１２０に特定の軌跡からなる指示画像１２４１を描くことで、保存操作を指示できるようにしてもよい。この場合、指示画像１２４１を描いた位置の近傍に相当する設置センサ１３１に対応する位置に設置位置表示１２２が表示され、メッセージ１２３が表示される。利用者が表示に沿って携帯端末２００を設置するだけで、データ転送を実行することができる。
【００５７】
また、電子黒板１００に複数の描画領域を保持することができ、各描画領域が個別のページの如く管理される場合であれば、あるページに相当する描画領域に表示された操作ボタン１２４に対して保存操作を実行すると、図１３に例示するような表示にしてもよい。この場合、図１３に示すように、設置位置表示１２２が、各描画領域に対応していて、その描画領域に描かれている表示画像１２１のサムネイル画像１２３１を、設置位置表示１２２に表示される。利用者は、データ転送を望むサムネイル画像１２３１が表示されている設置位置表示１２２に対応する位置に携帯端末２００を設置することで、該当する表示画像１２１に係るデータ転送が実行される。このように、複数の表示画像１２１のうち、個別のデータ転送を容易かつ確実に行うことができる。
【００５８】
≪データ転送処理の流れ≫
次に、本実施形態に係る電子黒板制御プログラムにおける処理の流れについて、図７のフローチャートを用いて説明する。まず、筆記検出部１１が操作ボタン１２４に対する保存命令の指示を検知するまでは処理を待機する（Ｓ６０１／ＮＯ）。筆記検出部１１が、操作ボタン１２４に対する保存命令の指示を検知したとき（Ｓ６０１／ＹＥＳ）、検出位置特定部１３が端末位置特定処理を実行する（Ｓ６０２）。
【００５９】
Ｓ６０２における処理は、表示画像１２１を筆記画像として転送する携帯端末２００を設置させる位置を特定する処理である。Ｓ６０２における位置の特定は、様々な条件に基づいて実行することができる。例えば、操作ボタン１２４の表示位置が表示画像１２１の表示領域の近傍に表示されている場合であれば、操作ボタン１２４の表示位置に近い側を端末の設置位置として特定する。また、表示画像１２１が表示されていない領域が多い側に対応する設置センサ１３１に対応する位置を設置位置として特定してもよい。また、後段の処理おいて表示される設置位置表示１２２が表示画像１２１の表示領域に、重ならない位置を設置位置として特定してもよい。また、タッチディスプレイ１２０において最後の表示された表示画像１２１に最も違い位置に相当する端末設置装置１３０の位置を設置位置として特定してもよい。
【００６０】
次に、画像出力部１２が、Ｓ６０２において特定された設置位置を明示する表示である設置位置表示１２２をディスプレイ手段に対して出力する（Ｓ６０３）。Ｓ６０３における処理は、例えば図８に示すように転送先表示である設置位置表示１２２をタッチディスプレイ１２０に表示させる処理である。設置位置表示１２２は、図８に例示するように、端末設置装置１３０の上方において、その対応が認識できるように表示される。図８に示すように、携帯端末２００を設置可能な位置の端末設置装置１３０に対応する全ての設置位置表示１２２を表示してもよいし、一部の設置位置表示１２２のみを表示してもよい。
【００６１】
次に、Ｓ６０３において表示された設置位置表示１２２に対応する位置にある設置センサ１３１を動作させ、また、当該位置に対応する通信アンテナ１３２を通信可能状態にする（Ｓ６０４）。Ｓ６０４の処理において、検出位置特定部１３において特定された設置位置に対応する通信アンテナ１３２と無線モジュール１１８とを接続するように、アンテナ切替スイッチ１１９を切り返る。また、転送用画像生成部１５が転送対象である筆記画像を生成する。
【００６２】
次に、特定した設置位置に対応する設置センサ１３１が携帯端末２００を設置したか否かの判定処理が実行される（Ｓ６０５）。ここで、設置センサ１３１が携帯端末２００を検知するまで（Ｓ６０５／ＮＯ）、タイマー処理を実行して、一定の時間を経過するまでは携帯端末２００の設置を待つ（Ｓ６０９／ＮＯ）。一定の時間経過までに、設置センサ１３１が携帯端末２００を検出しなければ（Ｓ６０９／ＹＥＳ）、画像出力部１２がタッチディスプレイ１２０にエラー表示を行う（Ｓ６１０）。
【００６３】
図９を用いてエラー表示の例を示す。図９に示すように、エラー表示であるエラー画像１２５は、タッチディスプレイ１２０の中央付近の目立つ位置に表示される。これによって、利用者は筆記画像の転送が失敗していることを認識することができる。なお、エラー画像１２５が表示されるときに、異常終了を知らせる音をオーディオスピーカ１１６から出力してもよい。また、エラー画像１２５が表示された後の所定の時間内において、正しい位置に携帯端末２００を設置し、設置センサ１３１が携帯端末２００を正常に検知すれば、筆記画像の送信処理を実行してもよい。
【００６４】
Ｓ６０５の処理において、設置センサ１３１が携帯端末２００を検知すれば（Ｓ６０５／ＹＥＳ）、転送用画像生成部１５が筆記画像を生成し、画像転送部１６が、当該携帯端末２００に無線回線を介して筆記画像を転送する（Ｓ６０６）。ここで使用される無線回線の通信方式は、近距離無線通信に用いられるものであればよい。例えば、ＮＦＣ（Ｎｅａｒ  Ｆｉｅｌｄ  Ｃｏｍｍｕｎｉｃａｔｉｎ）として標準化されている方式でもよいし、ＰＣとの無線通信において普及しているＷｉ−ｆｉを用いてもよい。
【００６５】
次に、転送結果判定部１７が、筆記画像の転送が正常に行われたか否かを判定する（Ｓ６０７）。ここで、筆記画像の転送が異常であれば（Ｓ６０７／ＮＯ）、Ｓ６１０においてエラー画像１２５を表示する（図９参照）。Ｓ６０７の処理において、筆記画像の転送が正常であれば（Ｓ６０７／ＹＥＳ）、画像出力部１２がディスプレイ手段に正常表示を行う（Ｓ６０８）。なお、転送が正常であるか否かは、Ｓ６０６における処理が一定の時間内に終了したか、又は、携帯端末２００から正常受信を示す通知を受け取ったか、などにより判定することができる。
【００６６】
図１０を用いて正常表示の例を示す。図１０に示すように、正常表示である正常画像１２６は、携帯端末２００を設置した位置に対応する設置位置表示１２２との関連が認識しやすい態様で、タッチディスプレイ１２０に表示される。なお、正常画像１２６が表示されるときに、正常終了を知らせる音をオーディオスピーカ１１６から出力してもよい。
【００６７】
［本実施形態の効果］
以上説明をした本実施形態に係る電子黒板１００によれば、電子黒板面に筆記された情報をデータ化した「筆記データ」の転送先となる端末装置の置く位置を電子黒板面に表示し、当該位置に置かれた端末装置にのみ筆記データを転送することができる。
【符号の説明】
【００６８】
１０    ソフトウェア制御部
１１    筆記検出部
１２    画像出力部
１３    検出位置特定部
１４    装置検出部
１５    転送用画像生成部
１６    画像転送部
１７    転送結果判定部
２０    ソフトウェア制御部
２１    画像受信部
２２    受信結果返信部
２３    画像保存部
１００  電子黒板
１１０  制御手段
１１１  ＣＰＵ
１１２  ＲＯＭ
１１３  ＲＡＭ
１１４  筆記検出Ｉ／Ｆ
１１５  画像出力Ｉ／Ｆ
１１６  オーディオスピーカ
１１７  設置センサＩ／Ｆ
１１８  無線モジュール
１１９  アンテナ切替スイッチ
１２０  ディスプレイ手段
１２１  表示画像
１２２  設置位置表示
１２３  メッセージ
１２４  操作ボタン
１２５  エラー画像
１２６  正常画像
１３０  端末設置手段
１３１  設置センサ
１３２  通信アンテナ
１５０  内部バス
２００  携帯端末
２０１  ＣＰＵ
２０２  ＲＯＭ
２０３  ＲＡＭ
２０４  フラッシュメモリ
２０５  Ｉ／Ｆ
２０６  表示操作部
２０７  無線モジュール
２０８  アンテナ
２０９  内部バス
３００  電子黒板システム
【先行技術文献】
【特許文献】
【００６９】
【特許文献１】特開２０１３−１３６１５４号公報
【図１】
2020184383.tif 000003
【図２】
2020184383.tif 000004
【図３】
2020184383.tif 000005
【図４】
2020184383.tif 000006
【図５】
2020184383.tif 000007
【図６】
2020184383.tif 000008
【図７】
2020184383.tif 000009
【図８】
2020184383.tif 000010
【図９】
2020184383.tif 000011
【図１０】
2020184383.tif 000012
【図１１】
2020184383.tif 000013
【図１２】
2020184383.tif 000014
【図１３】
2020184383.tif 000015
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
指示位置に基づく筆記画像を表示面に表示させる電子黒板装置であって、
携帯端末を検知するセンサと、
前記センサにより検知された携帯端末と前記電子黒板装置との無線通信を行う通信アンテナと、
前記センサにより検知された携帯端末に対し、前記通信アンテナを介して前記無線通信によって前記筆記画像を転送する画像転送部と、
を備えることを特徴とする電子黒板装置。
【請求項２】
前記センサは、前記携帯端末の設置圧に基づいて、当該携帯端末を検知する、
ことを特徴とする請求項１に記載の電子黒板装置。
【請求項３】
指示位置に基づく筆記画像を表示面に表示させる電子黒板装置で実行される画像表示方法であって、
携帯端末を検知する検知ステップと、
前記検知ステップにより検知された携帯端末と前記電子黒板装置とが通信アンテナによって無線通信を行う通信ステップと、
前記検知ステップにより検知された携帯端末に対し、前記通信アンテナを介して前記無線通信によって前記筆記画像を転送する画像転送ステップと、
を有する画像表示方法。
【手続補正３】
【補正対象書類名】明細書
【補正対象項目名】０００１
【補正方法】変更
【補正の内容】
【０００１】
本発明は、電子黒板装置及び画像表示方法に関する。
【手続補正４】
【補正対象書類名】明細書
【補正対象項目名】０００７
【補正方法】変更
【補正の内容】
【０００７】
上記課題を解決するために、本発明の一態様は、指示位置に基づく筆記画像を表示面に表示させる電子黒板装置であって、携帯端末を検知するセンサと、前記センサにより検知された携帯端末と前記電子黒板装置との無線通信を行う通信アンテナと、前記センサにより検知された携帯端末に対し、前記通信アンテナを介して前記無線通信によって前記筆記画像を転送する画像転送部と、を備えることを特徴とする。